(57)【特許請求の範囲】
【請求項１】
電気部品を載置するための載置台を有するソケット本体と、ソケット本体に列設されていて上記載置台上に載置された電気部品のリードに圧接する接片部とプリント回路基板の電極端子に接続されるべき接続端子部を有する多数のコンタクトピンとを備え、
前記接続端子部を前記プリント回路基板に設けられたスルーホールに夫々挿通し、前記プリント回路基板の下面に突出した前記接続端子部を前記プリント回路基板の電極端子と半田付けにより固定するようにした電気部品用ソケットにおいて、
前記プリント回路基板に設けた取付け孔の底面に嵌合係止可能のファスナーをソケット本体に一体に設け、
前記ファスナーが、
前記ソケット本体に設けられた２つの径の孔により構成された孔部と、
前記孔部を構成する２つの径の孔のうち、小さな径の孔の内周面に対して隙間を有して配置されていて、前記プリント回路基板に設けた取付け孔を挿通可能な舌片部と、
前記孔部を構成する２つの径の孔の間の部位に設けられて、前記各舌片部の一端を一体的に接続する接続部と、
前記各舌片部の自由端に設けられていて、前記ファスナーを前記プリント回路基板に設けた取付け孔に嵌入したときに前記プリント回路基板の底面に係合するフック部と、
を有していることを特徴とする電気部品用ソケット。
【請求項２】
電気部品を載置するための載置台を有するソケット本体と、ソケット本体に列設されていて上記載置台上に載置された電気部品のリードに圧接する接片部とプリント回路基板の電極端子に接続されるべき接続端子部を有する多数のコンタクトピンとを備え、
前記接続端子部を前記プリント回路基板に設けられたスルーホールに夫々挿通し、前記プリント回路基板の下面に突出した前記接続端子部を前記プリント回路基板の電極端子と半田付けにより固定するようにした電気部品用ソケットにおいて、
前記プリント回路基板に設けた取付け孔の底面に嵌合係止可能のファスナーをソケット本体とは別体に設け、
前記ソケット本体には２つの径の孔により構成された孔部を設けると共に、
前記ファスナーが、
前記ソケット本体に設けられた２つの径の孔のうち、大きな径の孔に嵌入可能な盤状の頭部と、
前記頭部より垂下していて、前記ソケット本体に設けられた２つの径の孔のうち、小さな径の孔及び前記プリント回路基板に設けた取付け孔を挿通可能な舌片部と、
前記各舌片部の自由端に設けられていて、前記ファスナーをソケット本体に設けられた２つの径の孔及び前記プリント回路基板に設けた取付け孔に嵌入したときに前記プリント回路基板の底面に係合するフック部と、
を有していることを特徴とする電気部品用ソケット。
【発明の詳細な説明】
【０００１】
【発明の属する技術分野】
本発明は、ＩＣパッケージの如き電気部品の検査や実装に用いられる電気部品用ソケットに関する。
【０００２】
【従来の技術】
図３及び図４は、従来公知の電気部品用ソケットの一例を示しており、図３はその平面図、図４は図３のＡ−Ａ線に沿う断面図である。この電気部品用ソケットは、平面形状が長方形のソケット本体１と、ソケット本体上に昇降自在に装架されていて外形がソケット本体１のそれと一致するように形成されたカバーとを備えている。ソケット本体１とカバー２との間にはスプリング３が介装されていて、カバー２に上昇習性を付与しており、カバー２の上限位置（図示位置）は、ソケット本体との間に設けられた図示しない係止機構により保持されるようになっている。
【０００３】
ソケット本体１は、対向する二辺に沿って絶縁的に等間隔に列設された多数のコンタクトピン４を含んでおり、ソケット本体１に設けられた載置台１ａ上に置かれたＩＣパッケージの如き電気部品ＰのリードＬに摺接する接片部４ａと、カバー２に設けられたカム２ａに摺接するトリガー部４ｂと、接片部４ａとトリガー部４ｂに内方変位習性を付与するばね部４ｃと、ソケット本体１に嵌着された基部４ｄと、基部４ｄより下方へ延びてソケット本体１の底部を貫通して突出している接続端子部４ｅを有している。
【０００４】
更に、ソケット本体１には、該ソケット本体をプリント回路基板５に仮止めするための貫通孔を有する取付け座１ｂが設けられていて、この貫通孔とこれに対応してプリント回路基板５に穿設された取付け孔とにビス６を挿通固定することにより、ソケット本体１とプリント回路基板５とが図４に示す如く仮止めされ得るようになっている。
【０００５】
この電気部品用ソケットへの電気部品Ｐの装填は、カバー２をスプリング３に抗して押し下げることによって行うことができる。即ち、図示の状態でカバー２を押し下げれば、カム２ａによりトリガー部４ｂは外方へ押されるから、接片部４ａもその習性に抗して外方へ変位せしめられて、鎖線図示位置まで回動せしめられる。従って、この状態で電気部品Ｐを載置台１ａ上へ挿入することができ、又、装填されている電気部品Ｐを上方へ取り出すこともできる。このようにして、電気部品Ｐを所定位置へ装填した後カバー２の押圧を解除すれば、コンタクトピン４は実線図示位置へ復帰して、接片部４ａはリードＬに接触し、電気部品Ｐの内部は接触端子部４ｅを介して、プリント回路基板５の配線に接続され、所定の検査や測定が行われる。
【０００６】
【発明が解決しようとする課題】
従来、電気部品用ソケットをプリント回路基板５に実装する場合、接続端子部４ｅをプリント回路基板５に設けられたスルーホールに夫々挿通した後、プリント回路基板５の下面に突出した接続端子部４ｅを半田槽等に浸すことにより、各接続端子部４ｅとプリント回路基板５の電極端子との半田付けを行なうが、その際、電気部品用ソケットが浮き上がるので、これを防止するため、上述のように、電気部品用ソケットとプリント回路基板５をビス６により仮止めする必要がある。ビス６によるこの仮止め作業は、バーンインボードのように多数の電気部品用ソケットを取り付ける場合多くの時間を必要とし、問題であった。
【０００７】
本発明は、従来の技術の有するこのような問題点に鑑みてなされたものであり、その目的とするところは、プリント回路基板との仮止めが迅速且つ簡単に遂行されるようにした電気部品用ソケットを提供しようとするものである。
【０００８】
【課題を解決するための手段】
上記目的を達成するために、本発明による電気部品用ソケットは、電気部品を載置するための載置台を有するソケット本体と、ソケット本体に列設されていて上記載置台上に載置された電気部品のリードに圧接する接片部とプリント回路基板の電極端子に接続されるべき接続端子部を有する多数のコンタクトピンとを備え、前記接続端子部を前記プリント回路基板に設けられたスルーホールに夫々挿通し、前記プリント回路基板の下面に突出した前記接続端子部を前記プリント回路基板の電極端子と半田付けにより固定するようにした電気部品用ソケットにおいて、前記プリント回路基板に設けた取付け孔の底面に嵌合係止可能のファスナーをソケット本体に一体に設け、前記ファスナーが、前記ソケット本体に設けられた２つの径の孔により構成された孔部と、前記孔部を構成する２つの径の孔のうち、小さな径の孔の内周面に対して隙間を有して配置されていて、前記プリント回路基板に設けた取付け孔を挿通可能な舌片部と、前記孔部を構成する２つの径の孔の間の部位に設けられて、前記各舌片部の一端を一体的に接続する接続部と、前記各舌片部の自由端に設けられていて、前記ファスナーを前記プリント回路基板に設けた取付け孔に嵌入したときに前記プリント回路基板の底面に係合するフック部と、を有していることを特徴とする。
また、本発明による電気部品用ソケットは、電気部品を載置するための載置台を有するソケット本体と、ソケット本体に列設されていて上記載置台上に載置された電気部品のリードに圧接する接片部とプリント回路基板の電極端子に接続されるべき接続端子部を有する多数のコンタクトピンとを備え、前記接続端子部を前記プリント回路基板に設けられたスルーホールに夫々挿通し、前記プリント回路基板の下面に突出した前記接続端子部を前記プリント回路基板の電極端子と半田付けにより固定するようにした電気部品用ソケットにおいて、前記プリント回路基板に設けた取付け孔の底面に嵌合係止可能のファスナーをソケット本体とは別体に設け、前記ソケット本体には２つの径の孔により構成された孔部を設けると共に、前記ファスナーが、前記ソケット本体に設けられた２つの径の孔のうち、大きな径の孔に嵌入可能な盤状の頭部と、前記頭部より垂下していて、前記ソケット本体に設けられた２つの径の孔のうち、小さな径の孔及び前記プリント回路基板に設けた取付け孔を挿通可能な舌片部と、前記各舌片部の自由端に設けられていて、前記ファスナーをソケット本体に設けられた２つの径の孔及び前記プリント回路基板に設けた取付け孔に嵌入したときに前記プリント回路基板の底面に係合するフック部と、を有していることを特徴とする。
【０００９】
【発明の実施の形態】
以下、本発明の実施の態様を図示した実施例に基づき説明する。図１は本発明の一実施例を示すもので、（ａ）は要部拡大断面図、（ｂ）は（ａ）の底面図、図２は本発明の他の実施例を示す要部拡大断面図である。図中、従来技術で説明したのと実質上同一の部品及び部分には同一符号が付されている。
【００１０】
本発明の第１の実施例によれば、ソケット本体１の取付け座１ｂに、図１（ａ）に示された如き対向する一対の舌片７から成るファスナーが一体的に形成されている。各舌片７の先端には夫々フック部７ａが形成されていて、プリント回路基板５の下面に係合するようにその長さが選定されている。一般に、ソケット本体１は電気絶縁性の合成樹脂を用いて射出成形されるが、舌片７はソケット本体１の成形と同時に成形される。尚、各舌片７ａは、適当な可撓性と強度を有するようにその肉厚が選定されている。
【００１１】
第１実施例は上記のように構成されているから、ソケット本体１とプリント回路基板５とを仮止めする場合、舌片７をプリント回路基板５の取付け孔５ａに押し込めば、舌片７は内側へ撓んで取付け孔内を通過し、フック部７ａが取付け孔５ａから脱出した瞬間、舌片７の復元力によりフック部７ａはプリント回路基板５の底面に係合する。
【００１２】
図２は第２の実施例を示しているが、この実施例では、ファスナー８は、ソケット本体１とは別体に形成されていて、盤状の頭部８ａと頭部より垂下した一対の対向する舌片８ｂと舌片の自由端に形成されたフック部８ｃとからなっている。この場合、ファスナー８は、適当な合成樹脂を用いて射出成形によりつくられてもよいし、適当な弾性を有する金属材料で作られてもよい。
【００１３】
第２実施例は上記のように構成されているから、ソケット本体１とプリント回路基板５とを仮止めする場合、ファスナー８を取付け孔５ａに押し込めば、第１実施例の場合と同様にしてフック部８ｃはプリント回路基板５の底面に係合し、仮止めを完了することができる。
【００１４】
以上、実施例では、舌片は一対として説明したが、図１（ｂ）に鎖線で示すようにもう一対増やしてもよいし、必要に応じ更に増してもよい。尚、ファスナーを合成樹脂でつくる場合は、半田に溶けない耐熱樹脂が用いられることは言うまでもない。又、実施例では、取付け座をソケット本体より突出した形態で示したが、それはソケット本体より突出しないような形態にすることもでき、而もソケット本体の四隅に設ける等数も限定されない。
【００１５】
【発明の効果】
上述のように本発明によれば、プリント回路基板との仮止めを迅速且つ簡単に行い得る電気部品用ソケットを廉価に提供することができ、実用上の効果は極めて大である。
【図面の簡単な説明】
【図１】本発明の第１実施例を示しており、（ａ）は要部拡大断面図、（ｂ）は（ａ）の底面図である。
【図２】本発明の第２実施例を示す要部拡大断面図である。
【図３】本発明が適用される従来の電気部品用ソケットの一例を示す平面図である。
【図４】図３のＡ−Ａ線に沿う断面図である。
【符号の説明】
１        ソケット本体
１ａ      載置台
１ｂ      取付け座
２        カバー
２ａ      カム
３        スプリング
４        コンタクトピン
４ａ      接片部
４ｂ      トリガー部
４ｃ      ばね部
４ｄ      基部
４ｅ      接続端子部
５        プリント回路基板
５ａ      取付け孔
６        ビス
７，８ｂ  舌片
７ａ，８ｃ    フック部
８        ファスナー
【図１】
0003750182.tif 000002
【図２】
0003750182.tif 000003
【図３】
0003750182.tif 000004
【図４】
0003750182.tif 000005